(57)【要約】【課題】簡単に組み立てられる養蜂箱を提供する。【解決手段】養蜂箱は、下方にあるベース１と上方にある蓋２との間に取り外し可能に設置されている少なくとも１つの箱体ユニット３を備えており、箱体ユニット３は、周囲から、上下とも開口する中空柱状になるように囲んでいて上下両側にそれぞれ壁頂部３１１と壁底部３１２とを有する主周壁３１と、壁頂部３１１と取り外し可能に係合している頂枠下係合部を有する頂連接枠３２と、壁底部３１２と取り外し可能に係合している底枠上係合部３３１を有する底連接枠３３と、を備えている。【選択図】図２
0003231208.tif 000002
【実用新案登録請求の範囲】
【請求項１】
周囲から、上下とも開口する中空柱状になるように囲んでいて、上下両側にそれぞれ、平らな頂縁を有する壁頂部と平らな底縁を有する壁底部とを有する主周壁と、
下側に前記壁頂部と取り外し可能に係合している頂枠下係合部を有する頂連接枠と、
上側に前記壁底部と取り外し可能に係合している底枠上係合部を有する底連接枠と、を備えている箱体ユニットを有することを特徴とする養蜂箱。
【請求項２】
前記頂連接枠には、巣脾を設置できる支持部が更に内周面から内側へ延伸するように形成されており、
前記頂連接枠及び前記底連接枠は、前記底連接枠の下面が前記頂連接枠の上面に重ねることができるように構成されていると共に、１つの前記箱体ユニットが有する前記頂連接枠の上面に、他の１つの前記箱体ユニットが有する前記底連接枠の下面が重ねられた状態になると、前記頂連接枠の開口及び前記底連接枠の開口が互いに連通する状態になるように構成されていることを特徴とする請求項１に記載の養蜂箱。
【請求項３】
前記箱体ユニットの前記底連接枠に取り外し可能に設置されているベースと、
前記箱体ユニットの前記頂連接枠に取り外し可能に設置されている蓋と、を更に備えており、
前記頂連接枠は、頂枠上係合部を更に有し、
前記底連接枠は、前記頂枠上係合部と凹凸係合可能な構造に構成されている底枠下係合部を更に有することを特徴とする請求項２に記載の養蜂箱。
【請求項４】
前記ベースは、前記底枠下係合部と取り外し可能に係合しているベース上係合部を有するベース本体を備えていることを特徴とする請求項３に記載の養蜂箱。
【請求項５】
前記蓋は、前記頂枠上係合部と取り外し可能に係合している蓋枠下係合部を有する蓋枠部を備えていることを特徴とする請求項３または請求項４に記載の養蜂箱。
【請求項６】
前記ベースは、前記底枠下係合部と取り外し可能に係合しているベース上係合部を有するベース本体を備えており、
前記蓋は、前記頂枠上係合部と取り外し可能に係合している蓋枠下係合部を有する蓋枠部を備えており、
前記ベース上係合部と前記頂枠上係合部とは、構成が同等に形成されており、
前記蓋枠下係合部と前記底枠下係合部とは、構成が同等に形成されていることを特徴とする請求項３に記載の養蜂箱。
【請求項７】
前記ベースは、ベース周壁を更に備えており、
前記ベース本体は、前記ベース周壁と取り外し可能に係合しているベース下係合部を更に有することを特徴とする請求項４または請求項６に記載の養蜂箱。
【請求項８】
前記蓋は、蓋体と、上下それぞれ前記蓋体と前記蓋枠部とに連接している蓋周壁と、を更に備えており、
前記蓋体は、前記蓋周壁と取り外し可能に係合している蓋体係合部を有し、
前記蓋枠部は、前記蓋周壁と取り外し可能に係合している蓋枠上係合部を更に有することを特徴とする請求項５または請求項６に記載の養蜂箱。
【請求項９】
前記ベース本体には、凹下部が周縁から前記ベース上係合部を経由して前記箱体ユニット内の空間と連通するように凹んで前記箱体ユニット内との通路になっていることを特徴とする請求項４、６及び７のいずれか一項に記載の養蜂箱。
【請求項１０】
前記ベースと前記蓋との間に複数の前記箱体ユニットが重なっており、
前記複数の箱体ユニットは、形が相同または相異するものであり、
上下方向に重なり合う２つの前記箱体ユニットは、上方にある前記箱体ユニットの前記底枠下係合部と下方にある前記箱体ユニットの前記頂枠上係合部とが互いに取り外し可能に係合して、位置決めされていることを特徴とする請求項３〜請求項９のいずれか一項に記載の養蜂箱。
【請求項１１】
前記主周壁は、前記頂連接枠及び前記底連接枠との係合により上下とも開口する中空柱状になるように周方向に組み合わせられる複数の主壁体により構成されていることを特徴とする請求項１〜請求項１０のいずれか一項に記載の養蜂箱。
【請求項１２】
前記主周壁は、上下とも開口する中空直方体になるように組み合わせられる４つの前記主壁体により構成されていることを特徴とする請求項１１に記載の養蜂箱。
【請求項１３】
前記主周壁は、上下とも開口する中空直方体になるように組み合わせられる４つの主壁体により構成されており、
前記４つの主壁体は、互いに平行する一対の第１の壁体と、前記一対の第１の壁体と略直交するように互いに平行する一対の第２の壁体と、により断面が四方形の中空直方体になるように組み合わせられており、
前記一対の第１の壁体は、前記一対の第２の壁体が内側へ倒れることを防止可能に前記一対の第２の壁体との間に配置されており、
前記一対の第２の壁体のそれぞれは、
前記一対の第１の壁体と共に中空直方体の開口を囲む部分になる厚壁部と、
前記厚壁部の両側において、他の前記第２の壁体と互いに向かう壁面が前記第１の壁体における対応の一端部を嵌め入れることができる凹面に形成され、且つ、該凹面において前記厚壁部と連接する連接面が、嵌め入れられた前記一端部に係止して前記一対の第１の壁体が内側へ倒れることを防止可能に形成されている薄壁部と、を有し、
前記頂枠下係合部は、前記頂連接枠の内周面と前記支持部とにより画成された環状係合槽であって、前記壁頂部の前記頂縁が前記支持部に係止し、且つ、主壁体の外側に向かう壁面が前記頂連接枠の内周面に係止して前記主壁体が外側へ倒れることを防止可能に、前記壁頂部と係合できるように構成されており、
前記底枠上係合部は、前記底連接枠の内周面と前記底連接枠の内周面から内側へ延伸するように形成された係止部とにより画成された環状係合槽であって、前記壁底部の前記底縁が前記係止部に係止し、且つ、前記主壁体の外側に向かう壁面が前記底連接枠の内周面に係止して前記主壁体が外側へ倒れることを防止可能に、前記壁底部と係合できるように構成されていることを特徴とする請求項２〜請求項１０のいずれか一項に記載の養蜂箱。
【請求項１４】
前記底連接枠は、前述底連接枠に囲まれている開口の周縁から突出して該開口の一部を覆っている補強部を更に有することを特徴とする請求項１〜請求項１３のいずれか一項に記載の養蜂箱。
【考案の詳細な説明】
【技術分野】
【０００１】
本考案は、養蜂箱に関し、特にモジュール化された養蜂箱に関する。
【背景技術】
【０００２】
一般の養蜂箱は、箱体と蓋により構成され、箱体の内周面の上側には、巣脾を設置できる階段状の設置部が形成されている。
また、従来の養蜂箱は、ほぞ継ぎまたは釘接合により木材を組み合わせて製造されるものが多い。
【考案の概要】
【考案が解決しようとする課題】
【０００３】
しかし、養蜂箱は、通常直方体のものであり、ほぞ継ぎまたは釘接合により組み立てる際には、高度な技術が必要である。技術を有しない者が組み立てることは難しく、形が歪んだ箱になりやすい上、複数の養蜂箱を組み合わせて、内部空間が大きい１つの養蜂箱にすることも実現しにくい。
上記問題点に鑑みて、本考案は、簡単に組み立てることができる養蜂箱の提供を目的とする。
【課題を解決するための手段】
【０００４】
上記目的を達成すべく、本考案は、
周囲から、上下とも開口する中空柱状になるように囲んでいて、上下両側にそれぞれ平らな頂縁を有する壁頂部と平らな底縁を有する壁底部とを有する主周壁と、
下側に前記壁頂部と取り外し可能に係合している頂枠下係合部を有する頂連接枠と、
上側に前記壁底部と取り外し可能に係合している底枠上係合部を有する底連接枠と、を備えている箱体ユニットを有することを特徴とする養蜂箱を提供する。
【考案の効果】
【０００５】
上記の構成により、本考案の養蜂箱は、従来の養蜂箱より簡単に組み立てることができる上、複数の箱体ユニットを組み合わせることで更に簡単に内部空間が大きい１つの養蜂箱に組み合わせることができる。
【図面の簡単な説明】
【０００６】
【図１】本考案の養蜂箱の第１の実施形態を示す斜視図である。
【図２】上記養蜂箱を示す分解斜視図である。
【図３】上記養蜂箱を他の角度から見た分解斜視図である。
【図４】本考案の養蜂箱の第２の実施形態を示す斜視図である。
【図５】本考案の養蜂箱の第３の実施形態を示す斜視図である。
【図６】本考案の養蜂箱の第４の実施形態を示す斜視図である。
【考案を実施するための形態】
【０００７】
以下、図面を参照しながら、本考案の養蜂箱の実施形態について詳しく説明する。
本考案を説明するために、本明細書及び請求の範囲において方向性を含む用語を使用する（例えば、上、下、頂、底など）が、これらの方向性を含む用語は、単に本明細書及び請求の範囲の記載を補助することを意図しており、本考案の構成や使用方法などをいかなる方法でも限定することを意図していない。
【０００８】
図１は本考案の養蜂箱の第１の実施形態を示す斜視図である。図２及び図３は同実施形態に係る養蜂箱の分解斜視図であり、図３は図２に示す養蜂箱を他の角度から見た分解斜視図である。
【０００９】
本考案の養蜂箱１００は、図１に示されるように、下方にあるベース１と、上方にある蓋２と、箱体ユニット３とを備えている。
箱体ユニット３は、図２及び図３に示されるように、ベース１と蓋２との間に取り外し可能に設置され、主周壁３１と、頂連接枠３２と、底連接枠３３とを備えている。この実施形態において、ベース１は、底連接枠３３に取り外し可能に設置されており、蓋２は、頂連接枠３２に取り外し可能に設置されている。
【００１０】
主周壁３１は、図２に示されるように、周囲から、上下とも開口する中空柱状になるように囲んでいて、平らな頂縁３１１１を有する壁頂部３１１と平らな底縁３１２１を有する壁底部３１２とを上下両側にそれぞれ有するものである。
【００１１】
この実施形態において、主周壁３１は、４つの主壁体３１３により上下とも開口する中空直方体になるように組み合わせられるものである。４つの主壁体３１３は、互いに取り外し可能に係合して内側へ倒れることを防止可能に構成されているものであって、本実施形態では、４つの主壁体３１３として、図２及び図３に示されるように、互いに平行する一対の第１の壁体３１４と、一対の第１の壁体３１４と略直交するように互いに平行する一対の第２の壁体３１５と、により断面が四方形の中空直方体になるように組み合わせられている。
【００１２】
一対の第１の壁体３１４は、図２及び図３に示されるように、一対の第２の壁体３１５が内側へ倒れることを防止可能に一対の第２の壁体３１５との間に配置されており、図中右側の第１の壁体３１４に蜂が出入りできる孔が２つ開けられている。
一対の第２の壁体３１５のそれぞれは、図２及び図３に示されるように、一対の第１の壁体３１４と共に中空直方体の開口を囲む部分になる厚壁部３１５１と、厚壁部３１５１の両側において、他の第２の壁体３１５と互いに向かう壁面が第１の壁体３１４における対応の一端部を嵌め入れることができる凹面に形成され、且つ、該凹面において厚壁部３１５１と連接する連接面３１５３が、嵌め入れられた第１の壁体３１４の前記一端部に係止して一対の第１の壁体３１４が内側へ倒れることを防止可能に形成されている薄壁部３１５２とを有する。
【００１３】
他に実施例において、主周壁３１は、上下とも開口する中空直方体になるように一体的に形成されているものであってもよく、２つのＬ字の壁体で上下とも開口する中空直方体になるように組み合わせられるものであってもよい。
【００１４】
また、主周壁３１は、上下とも開口する中空直方体以外の形に構成されてもよく、例えば、円柱状または五角柱状などの他の多角柱状に構成されてもよく、通気用の窓を設置することもできる。
【００１５】
頂連接枠３２と底連接枠３３とは、底連接枠３３の下面を頂連接枠３２の上面に重ねることができるように構成されていると共に、該重なった状態になると、頂連接枠３２の開口及び底連接枠３３の開口が互いに連通する状態になるように構成されている。即ち、箱体ユニット３は、１つの箱体ユニット３の底連接枠３３の下面を別の１つの箱体ユニット３の頂連接枠３２の上面に重ねると共に、重なった２つの箱体ユニット３の開口同士が連通した状態とすることができるように構成されている。
【００１６】
頂連接枠３２は、図２及び図３に示されるように、頂枠上係合部３２１と、壁頂部３１１と取り外し可能に係合する頂枠下係合部３２２と、内周面から内側へ延伸するように形成されて巣脾（図示せず）を設置できる支持部３２３と、を有する。
【００１７】
この実施例において、頂枠上係合部３２１は、図２に示されるように、頂連接枠３２の上面から突出する環状リブと該環状リブの外周縁を囲繞する環状凹部（即ち、該環状リブと該環状リブの外周にある頂連接枠３２の上面とにより画成される凹部）とからなり、即ち、頂枠上係合部３２１の環状リブである内側の環状部分が突起していると共に、頂連接枠３２の上面である外側の環状部分が該内側の環状部分に比べて凹んでいる構造である。
この実施形態において、頂枠下係合部３２２は、図３に示されるように、頂連接枠３２の内周面と支持部３２３とにより画成されて、壁頂部３１１と係合できる環状係合槽である。即ち、頂枠下係合部３２２は、凹凸対応するように壁頂部３１１の形と大きさに合わせて、壁頂部３１１が該環状係合槽に係合する構造に構成されている。従って、頂連接枠３２と主周壁３１とは、互いに係合して連接し、位置決めされ、且つ、主周壁３１の各主壁体３１３は、上下とも開口する中空直方体に維持できる。
【００１８】
なお、より具体的には、頂枠下係合部３２２は、壁頂部３１１の前記頂縁が支持部３２３に係止し、且つ、主壁体３１の外側に向かう壁面が頂連接枠３２の内周面に係止して主壁体３１３が外側へ倒れることを防止可能に、壁頂部３１１と係合できるように構成されているので、水平方向で外から主周壁３１を囲繞して、主周壁３１を位置決めする突出した部分を有するものであるが、それに限らず、例えば、４つの主壁体３１３が、互いに取り外し可能に係合して外側へ倒れないように構成される実施形態において、頂枠下係合部３２２は、水平方向で主周壁３１に囲繞されるように主周壁３１の内側に係止できるリブが突出することにより、主周壁３１を位置決めして、主壁体３１３が内側へ倒れることを防止可能に、壁頂部３１１と係合できるように構成されてもよい。
【００１９】
底連接枠３３は、図２及び図３に示されるように、壁底部３１２と取り外し可能に係合する底枠上係合部３３１と、底枠下係合部３３２と、底連接枠３３の内周面から内側へ延伸するように形成された係止部３３３とを有する。
【００２０】
この実施形態において、底枠上係合部３３１は、凹凸対応するように壁底部３１２の形に合わせて、壁底部３１２を底枠上係合部３３１の環状係合槽に係合する構造に構成されている。従って、底連接枠３３と主周壁３１とは、互いに係合して連接し、位置決めされ、且つ、主周壁３１の各主壁体３１３は、上下とも開口する中空直方体に維持できる。より具体的には、底枠上係合部３３１は、図２及び図３に示されるように、底連接枠３３の内周面と係止部３３３とにより画成された環状係合槽であって、壁底部３１２の前記底縁３１２１が係止部３３３に係止し、且つ、主壁体３１の外側に向かう壁面が底連接枠３３の内周面に係止して主壁体３１が外側へ倒れることを防止可能に、壁底部３１２と係合できるように構成されており、即ち、頂枠下係合部３２２と同等の構成に形成されており、従って、壁底部３１２は、壁頂部３１１と同等の形と大きさに構成されている。同じく、底枠上係合部３３１は、頂枠下係合部３２２のように、上記の効果を発揮できるなら他の形に構成されてもよい。
【００２１】
この実施形態において、底枠下係合部３３２は、図３に示されるように、頂枠上係合部３２１と凹凸係合可能な構造に構成されているものである。具体的には、底枠下係合部３３２は、底連接枠３３の下面から突出する環状リブと該環状リブの内周縁を囲繞する環状凹部（即ち、該環状リブと該環状リブの内周にある底連接枠３３の下面とにより画成される凹部）とからなり、即ち、底枠下係合部３３２の外側の環状部分が頂枠上係合部３２１の環状凹部に対応して突起して環状リブとなっていると共に、底連接枠３３の下面である内側の環状部分が頂枠上係合部３２１の環状リブに対応して該外側の環状部分に比べて凹んでいる構成となっている。また、底連接枠３３の開口と頂連接枠３２の開口とは、同じ形及び大きさに空けられている。
即ち、この実施形態において、主周壁３１は、頂連接枠３２及び底連接枠３３との係合により上下とも開口する中空直方体になるよう組み合わせられる４つの主壁体３１３により構成されている。
【００２２】
また、上述のように、箱体ユニット３は、主周壁３１と頂連接枠３２と底連接枠３３とから構成されているが、主周壁３１は頂連接枠３２や底連接枠３３と異なる材料で構成されてもよい。また、主周壁３１の頂縁３１１１及び底縁３１２１が平らに形成されていて、ほぞ継ぎのような凸凹がないので、組み合わせや移動などの時に応力が凸凹に集中することにより破損することを防止できる。従って、強度が弱い材料で主周壁３１を構成することもできるので、主周壁３１の構成材料の選択肢が増える。主周壁３１の材料として、例えば、竹、木、わら、つる植物、泥土（例えば粘土）、石など蜂の飼育に適宜する材料を使用することができ、また、使用者が保護、メンテナンス、温度管理などを簡単に行える材料、例えば金属や複合材料などの材料を使用することができる。
【００２３】
頂連接枠３２と底連接枠３３との材料として、係合構造を簡単に形成できる材料、例えばプラスチック、木の板などを使用することができる。
【００２４】
ベース１は、図２及び図３に示されるように、ベース本体１１と、ベース本体１１の底側に配置されるベース周壁１２とを備えている。
【００２５】
ベース本体１１は、底枠下係合部３３２と取り外し可能に係合するベース上係合部１１１と、ベース周壁１２と取り外し可能に係合しているベース下係合部１１２とを有する。
この実施形態において、ベース本体１１の構造は、ベース本体１１が中実の構造である以外、頂連接枠３２の構造に類似している。ベース上係合部１１１は、ベース本体１１の中実の部分から張り出した部分で構成され、図２に示されるように、頂枠上係合部３２１と同等の構成に形成されており、ベース下係合部１１２は、図３に示されるように、頂枠下係合部３２２と同等の構成に形成されている。即ち、ベース上係合部１１１は、内側の環状部分が突起していると共に、外側の環状部分が該内側の環状部分に比べて凹んでいる構成であり、それにより、ベース上係合部１１１と底枠下係合部３３２とは、互いに係合することで位置決めされる。
【００２６】
この実施形態において、ベース周壁１２は、図３に示されるように、ベース本体１１を高く設置するためのものであって、４つの壁体から構成される。ベース周壁１２と底枠下係合部３３２との係合は、主周壁３１と頂枠下係合部３２２との係合と同じである。
また、この実施形態において、ベース本体１１は、図２に示されるように、周縁からベース上係合部１１１を経由して箱体ユニット３内の空間と連通するように凹んだ凹下部１１３が設けられていて、この凹下部１１３が箱体ユニット３の内外を連通する通路になっている（即ち、底連接枠３３の開口は、凹下部１１３と主周壁３１が囲む空間とに連通している）。この凹下部１１３により形成される通路は、蜂が養蜂箱１００を出入りするための通路となる。
【００２７】
蓋２は、図２及び図３に示されるように、蓋枠部２１と、蓋枠部２１の開口を覆う蓋体２２と、上下それぞれ蓋体２２と蓋枠部２１とに連接している蓋周壁２３とを備えている。
蓋枠部２１は、蓋周壁２３と取り外し可能に係合している蓋枠上係合部２１１と、頂枠上係合部３２１と取り外し可能に係合する蓋枠下係合部２１２とを有する。
【００２８】
この実施形態において、蓋枠部２１は、底連接枠３３の構造に類似している。蓋枠上係合部２１１は、図２に示されるように、底枠上係合部３３１と同等の構成に形成されており、蓋枠下係合部２１２は、図３に示されるように、底枠下係合部３３２と同等の構成に形成されている。即ち、蓋枠下係合部２１２は、外側の環状部分が突起していると共に、内側の環状部分が該外側の環状部分に比べて凹んでいる構成であり、それにより、蓋枠下係合部２１２と頂枠上係合部３２１とは、互いに係合することで位置決めされる。
【００２９】
この実施形態において、蓋体２２は、図３に示されるように、蓋周壁２３と取り外し可能に係合している蓋体係合部２２１を有する。蓋体係合部２２１は、頂枠下係合部３２２と同等の構成に形成されている。蓋周壁２３は、４つの壁体から構成される。蓋周壁２３と蓋体係合部２２１との係合は、主周壁３１と頂枠下係合部３２２との係合と同じであり、蓋周壁２３と蓋枠上係合部２１１との係合は、主周壁３１と底枠上係合部３３１との係合と同じである。
【００３０】
上記の各係合構造により、本考案の養蜂箱１００は、各部材を互いに位置決めして簡単に組み立てることができる。
【００３１】
例えば、先ずベース１のベース周壁１２をベース本体１１のベース下係合部１１２と係合することにより、ベース１の組み立てが完了する。
【００３２】
そして、底連接枠３３の底枠下係合部３３２をベース本体１１のベース上係合部１１１と係合することにより、底連接枠３３とベース本体１１とが互いに連接されて固定される。
そして、主周壁３１の壁底部３１２を底連接枠３３の底枠上係合部３３１と係合することにより、主周壁３１と底連接枠３３とが互いに連接されて固定される。
【００３３】
そして、頂連接枠３２の頂枠下係合部３２２を主周壁３１の壁頂部３１１と係合することにより、頂連接枠３２と主周壁３１とが互いに連接されて固定される。それにより、箱体ユニット３の組み立てが完了する。
【００３４】
蓋２については、先ず蓋枠部２１と、蓋体２２と、蓋周壁２３とを組み合わせた後、蓋枠部２１の蓋枠下係合部２１２を頂連接枠３２の頂枠上係合部３２１と係合することにより、蓋２と頂連接枠３２とが互いに連接されて固定される。それにより、養蜂箱１００の組み立てが完了する。
【００３５】
上記の構成によれば、本考案の養蜂箱はモジュール化されたので、簡単に組み立てることができ、更に複数の箱体ユニット３を組み合わせれば、内部空間が大きい１つの養蜂箱を簡単に作成することができる。従って、本考案の養蜂箱はモジュール化されたことで、従来の養蜂箱より大幅に簡単に製造できる。
【００３６】
また、４つの主壁体３１３の構成により、熱膨張や吸湿など温湿度変化による寸法変化に起因する破損を防止できる。
【００３７】
更に、主周壁３１には、ほぞ継ぎのような凸凹がなく、且つ、釘の打ち込みによる構造の破壊もないので、主周壁３１が破損しにくい利点がある。
【００３８】
図４は本考案の養蜂箱１００の第２の実施形態を示す斜視図である。
【００３９】
本考案の養蜂箱の第２の実施形態は、上記第１の実施形態と多くの構成が共通するので、ここでは詳しい説明を省略し、その相違点のみを説明する。
【００４０】
この実施形態において、図４に示されるように、ベース１と蓋２との間に複数の箱体ユニット３が重なっている。
【００４１】
頂枠上係合部３２１（その構成は図２を参照）と底枠下係合部３３２（その構成は図３を参照）とは、上記のように互いに凹凸係合可能な構造に構成されていて、各頂枠上係合部３２１の構成と各底枠下係合部３３２の構成が第１の実施形態と同じであるので、上下方向に重なり合う２つの箱体ユニット３は、頂枠上係合部３２１と底枠下係合部３３２との構造により互いに係合できる。
【００４２】
即ち、上方にある箱体ユニット３の底枠下係合部３３２と下方にある箱体ユニット３の頂枠上係合部３２１とは、第１の実施形態において蓋枠部２１と頂連接枠３２との係合と同じように、互いに取り外し可能に係合している上、位置決めされている。
【００４３】
それにより、ベース１と蓋２との間に複数の箱体ユニット３を重ねることが可能になり、必要に応じて、養蜂箱１００の内部空間を調整できる。
【００４４】
図５は本考案の養蜂箱の第３の実施形態を示す斜視図である。
【００４５】
本考案の養蜂箱１００の第３の実施形態は、上記第２の実施形態と多くの構成が共通するので、ここでは詳しい説明を省略し、その相違点のみを説明する。
【００４６】
この実施形態において、図５に示されるように、形が相異する複数の箱体ユニット３は、ベース１と蓋２との間に重なっている。
【００４７】
上下方向に重なり合う２つの箱体ユニット３は、上方にある箱体ユニット３の底枠下係合部３３２（その構成は図３を参照）と下方にある箱体ユニット３の頂枠上係合部３２１（その構成は図２を参照）とが互いに取り外し可能に係合していて位置決められている。
具体的には、図５に示されるように、下方にある箱体ユニット３は、上方にある箱体ユニット３より、前後方向（図５に示される方向Ｘ）において長い長方体に構成されている。
例えば、図示のように、上方にある箱体ユニット３の底連接枠３３の水平面における面積を下方にある箱体ユニット３の頂連接枠３２の水平面における面積に合わせることにより、上方にある箱体ユニット３の底枠下係合部３３２は、下方にある箱体ユニット３の頂枠上係合部３２１と係合できる。そして、上方にある箱体ユニット３の底枠上係合部３３１は、上方にある箱体ユニット３の主周壁３１に合わせる。このように、上方にある箱体ユニット３の底連接枠３３の一部が下方にある箱体ユニット３をカバーする構成とすることができる。
【００４８】
よって、複数の箱体ユニット３の形が相異しても、頂連接枠３２及び底連接枠３３が合わせて互いに係合できるように形成することにより、該複数の箱体ユニット３を互いに連接して固定するように重ねることができて、多様な形態に構成して使用することができる。
図６は本考案の養蜂箱の第４の実施形態を示す斜視図である。
【００４９】
本考案の養蜂箱１００の第４の実施形態は、上記第１の実施形態と多くの構成が共通するので、ここでは詳しい説明を省略し、その相違点のみを説明する。
【００５０】
底連接枠３３は、底連接枠３３に囲まれている開口の周縁から突出して該開口の一部を覆っている補強部３３４を更に有する。
【００５１】
この実施形態において、図６に示されるように、補強部３３４は、係止部３３３から延伸するものであって、底連接枠３３の強度を上げる効果がある。
【００５２】
また、開口の一部のみを覆っていることにより、養蜂箱内の空気の流通を維持できる。図４に示されるような複数の箱体ユニット３が重なっている場合、必要によって補強部３３４に隔離版を設置することができる。
【００５３】
また、上記の機能を有する限り、補強部３３４は任意の形態に構成することができる。
【産業上の利用可能性】
【００５４】
本考案の養蜂箱は、養蜂に好適である。
【符号の説明】
【００５５】
１００  養蜂箱
１      ベース
１１    ベース本体
１１１  ベース上係合部
１１２  ベース下係合部
１１３  凹下部
１２    ベース周壁
２      蓋
２１    蓋枠部
２１１  蓋枠上係合部
２１２  蓋枠下係合部
２２    蓋体
２２１  蓋体係合部
２３    蓋周壁
３      箱体ユニット
３１    主周壁
３１１  壁頂部
３１１１  頂縁
３１２  壁底部
３１２１  底縁
３１３  主壁体
３１４  第１の壁体
３１５  第２の壁体
３１５１  厚壁部
３１５２  薄壁部
３１５３  連接面
３２    頂連接枠
３２１  頂枠上係合部
３２２  頂枠下係合部
３２３  支持部
３３    底連接枠
３３１  底枠上係合部
３３２  底枠下係合部
３３３  係止部
【図１】
0003231208.tif 000003
【図２】
0003231208.tif 000004
【図３】
0003231208.tif 000005
【図４】
0003231208.tif 000006
【図５】
0003231208.tif 000007
【図６】
0003231208.tif 000008